(57)【要約】【課題】    釣り糸と釣り浮きとを容易に連結および連結解除できるようにした釣り浮きを提供することにある。【解決手段】      縦方向に長孔が形成され、内部に挿入空間が形成され、挿入空間の下端中央に突出部が形成された下部シャップと、前記下部キャップ内の挿入空間に内挿され、下端に嵌合溝が形成され、外周縁の一側の縦方向に収納溝が形成された内部キャップと、前記下部キャップ内の挿入空間に前記内部キャップを結合させるために形成された結合手段と、前記内部キャップの上端内周縁と結合される上部キャップとを備える。【選択図】    図１
2004201690.tif 000002
【特許請求の範囲】
【請求項１】
縦方向に長孔（１２）が形成され、内部に挿入空間（１４ａ）が形成され、挿入空間（１４ａ）の下端中央に突出部（１６ａ）が形成された下部シャップ（１０ａ）と、
前記下部キャップ（１０ａ）内の挿入空間（１４ａ）に内挿され、下端に嵌合溝（２２ａ）が形成され、外周縁の一側の縦方向に収納溝（２４）が形成された内部キャップ（２０ａ）と、
前記下部キャップ（１０ａ）内の挿入空間（１４ａ）に前記内部キャップ（２０ａ）を結合させるために形成された結合手段と、
前記内部キャップ（２０ａ）の上端内周縁と結合される上部キャップ（３０ａ）とを備えることを特徴とする釣り浮き。
【請求項２】
前記内部キャップ（２０ａ）と前記上部キャップ（３０ａ）との結合部位にはゴムリング（３２ｂ）が介在されていることを特徴とする請求項１記載の釣り浮き。
【請求項３】
前記結合手段はボルト（３８ａ）、ワッシャー（３６）、ゴムリング（３２ａ）で構成されることを特徴とする請求項１記載の釣り浮き。
【請求項４】
前記内部キャップ（２０ｂ）と上部キャップ（３０ｂ）は螺合されることを特徴とする請求項１記載の釣り浮き。
【請求項５】
前記ボルト（３８ｂ）は、挿入空間（１４ｂ）の下端中央に形成された突出部（１６ｂ）に螺合されることを特徴とする請求項３記載の釣り浮き。
【請求項６】
前記下部キャップ（１０ａ）の外周縁の一側面には潮流方向キー（１８）が形成され、前記上部キャップ（３０ａ）の外周縁の一側面には潮流方向確認部（３４）が形成されることを特徴とする請求項１記載の釣り浮き。
【請求項７】
前記内部キャップ（２０ａ）の外周縁の縦方向に多数の重心孔（２６ａ，２６ｂ，２６ｃ）が形成されたことを特徴とする請求項１記載の釣り浮き。
【請求項８】
前記内部キャップ（２０ａ）の上端面に蛍光物質が塗布されたことを特徴とする請求項１記載の釣り浮き。
【請求項９】
縦方向に長孔（１２）が形成され、内部に挿入空間（１４ａ）が形成され、挿入空間（１４ａ）の下端中央に突出部（１６ａ）が形成された下部シャップ（１０ａ）と、
前記下部キャップ（１０ａ）内の挿入空間（１４ａ）に内挿され、下端に嵌合溝（２２ａ）が形成され、外周縁の一側の縦方向に収納溝（２４）が形成された内部キャップ（２０ａ）と、
前記下部キャップ（１０ａ）内の挿入空間（１４ａ）に前記内部キャップ（２０ａ）を結合させるために形成された結合手段と、
前記内部キャップ（２０ａ）の上端内周縁と結合され、上端部の中央に光放出部（５０）が形成され、該光放出部（５０）の一側部に音放出部（５２）が形成された上部キャップ（３０ｃ）と、
前記内部キャップ（２０ｂ）と上部キャップ（３０ｃ）間の結合空間内に設置され、魚のアタリを感知するセンサー（４０）と、
前記内部キャップ（２０ｂ）と前記上部キャップ（３０ｃ）間の結合空間内に設置される感知信号制御回路基板（４４）と、
前記上部キャップ（３０ｃ）の内側面に接し、前記感知信号制御回路基板（４４）と電気的に連結され、前記感知信号制御回路基板（４４）からの制御信号によって作動するお知らせ手段と、
前記感知信号制御回路基板（４４）、お知らせ手段と電気的に連結された電源供給手段（４２）とを備えることを特徴とする釣り浮き。
【請求項１０】
前記お知らせ手段は発光ダイオード（４６）およびブザー（４８）で構成され、前記発光ダイオード（４６）は、前記上部キャッブ（３０ｃ）の中央部に形成された光放出部（５０）に固定結合され、前記ブザー（４８）は、前記上部キャップ（３０ｃ）の側部に形成された音放出部（５２）に連接されていることを特徴とする請求項９記載の釣り浮き。
【請求項１１】
前記内部キャップ（２０ａ）と前記上部キャップ（３０ａ）との結合部位にはゴムリング（３２ｂ）が介在されていることを特徴とする請求項９または１０記載の釣り浮き。
【請求項１２】
前記結合手段はボルト（３８ａ）、ワッシャー（３６）、ゴムリング（３２ａ）で構成されることを特徴とする請求項９または１０記載の釣り浮き。
【請求項１３】
前記内部キャップ（２０ｂ）と上部キャップ（３０ｂ）は螺合されることを特徴とする請求項９または１０記載の釣り浮き。
【請求項１４】
前記ボルト（３８ｂ）は、挿入空間（１４ｂ）の下端中央に形成された突出部（１６ｂ）に螺合されることを特徴とする請求項９または１０記載の釣り浮き。
【請求項１５】
前記下部キャップ（１０ａ）の外周縁の一側面には潮流方向キー（１８）が形成され、前記上部キャップ（３０ａ）の外周縁の一側面には潮流方向確認部（３４）が形成されることを特徴とする請求項９または１０記載の釣り浮き。
【請求項１６】
前記内部キャップ（２０ａ）の外周縁の縦方向に多数の重心孔（２６ａ，２６ｂ，２６ｃ）が形成されたことを特徴とする請求項９または１０記載の釣り浮き。
【請求項１７】
前記内部キャップ（２０ａ）の上端面に蛍光物質が塗布されたことを特徴とする請求項９または１０記載の釣り浮き。
【発明の詳細な説明】
【技術分野】
【０００１】
本発明は、釣り浮きに係り、より詳しくは、正確に魚アタリ（魚信）を感知できるようにすると同時に、釣り糸と釣り浮きとを容易に結合および結合解除できるようにした釣り浮きに関する。
【背景技術】
【０００２】
一般に、釣り浮きは、魚アタリ（魚信： 道糸などに現れる魚が針についたエサを食べようとしている信号＝魚が餌に口をつけること）を感知し、釣り人にアワセのタイミングを視覚的に知らせるための釣り装備中の一つであって、通常川釣り用浮きと海釣り用浮きとに大別され、さらに昼間専用・夜間専用の浮きと、昼夜兼用の浮きなど多様な種類がある。
【０００３】
海で釣りをするほとんどの釣り人は、重さの異なる複数の釣り浮きを使用し、この際、潮流の流速が強くなると重い釣り浮きを、潮流の流速が弱くなると軽い浮きをそれぞれ使用する。通常海釣りをする場合は、釣りを終えるまで、潮流の流速に応じて釣り浮きを数回取り替えて使用する。この際、釣り浮きを取り替える際には、釣り浮きより下端部に形成されているサルカン、緩衝玉、重りなどを取り外した上で取り替えるので、極めて煩わしいのみならず、釣り浮きの取り替えが遅れてしまい、適時に魚を釣ることができなくなる場合がある。また、潮流の流れ方向をきちんと把握できない場合が多い。
【０００４】
また、魚のアタリ（魚信）を感知する種々の魚信感知用釣り浮きが開発されていて、そのうち発光浮きが夜間に多く利用される。
【０００５】
発光浮きとしては、ボディに夜光塗料を塗布したものと、外皮と毛細ガラス管内に入っている化学物質を反応させて光を発生させるケミライト(chemical light)を付けたものとが使われている。しかしながら、前記発光浮きは、夜釣りに必要な光の強さが弱いか、発光時間が短いという短所がある。
【０００６】
特に、ケミライトは、発光時間が約６時間以内で１回用であるため、取り替えが頻繁であり、さらにこれを自然環境に無断で投入した場合、ポリプロピレンからなる外皮および毛細ガラス管の材質と、これらの内部に入っている発光物質であるオキサレート、Ｈ２Ｏ２などの化学物質とが、深刻な環境汚染を引き起こすおそれがある。
【０００７】
上述した発光浮きの代わりに、ボディ内部に発光ダイオード（ＬＥＤ：light emitting diode）と電池とを内蔵した釣り浮き（一名：電子浮き）が案出され、幅広く使用されている。
【０００８】
前記発光ダイオードを用いた釣り浮きは、夜間に単に釣り浮きの位置を表示するだけの機能から発展されて、魚信が感知されると、回路基板の構成に応じて緑色または赤色の発光ダイオードが点灯・点滅して、これにより、釣り人は魚信の感知可否を識別することができる。
【０００９】
魚信を感知して発光ダイオードを点灯・点滅できるようにした釣り浮きとしては、先出願された特許文献１及び特許文献２がある。
【００１０】
前記先出願された釣り用魚信感知器は、上下部キャップで螺合されており、内部に電池(battery)が内蔵され、前記上下部キャップを貫通し、通過される釣り糸の変位に応じて移動する磁石体が、磁気(magnetic)スイッチの短絡を制御して発光ダイオードを点灯・点滅する。
【００１１】
次に、前記先出願された釣り用魚信感知器の動作を説明すると、浮きを海に入れ、浮きが水面に浮上している待機状態では、上下昇降部材と結合部材の内側に埋め込まれた磁石体が上方の金属のワッシャーについていて、隣接した上側の磁気スイッチを接点させ、大気状態を表示する発光ダイオードを点灯させる。魚のアタリ（魚信）を出すと、釣り糸が下降し、上下乗降部材のテープ孔にその結び目が引っかかり、これにより磁石体が同時に下降し、隣接した下側の磁気スイッチを接点させて、魚信感知状態表示する発光ダイオードを点灯させることにより、釣り人に魚信感知信号を視覚的に知らせる。
【００１２】
しかし、前述の如く磁石体が釣り糸の変位に応じて昇降して上下側にある磁気スイッチを短絡させるようにした、従来の釣り用魚信感知器の構成には、次のような問題点がある。
【００１３】
すなわち、従来の魚信感知部は、ガイド部材の突出部に設けられるＯリングおよびワッシャー、ワッシャー内合部材、そして上下昇降部材および磁石材と結合部材などで複雑に構成されることから、組立性が良くないという問題点がある。しかも、リールに巻き取られた釣り糸の先端部がめくれあがってしまい、前記魚信感知部の狭い通路に釣り糸を通しにくいという問題点がある。
【００１４】
特に、昇降する磁石体を上昇状態、すなわちワッシャーについている待機状態で維持させるのは、上昇磁石体とワッシャー間に作用する引力によるものであり、魚信感知時に下降状態にされた昇降磁石体を待機状態に取り戻すのは、昇降磁石体と、反対極性で遮断板の凹溝に埋め込まれた固定磁石体との間で作用する反発力によるものである。この際、魚信感知部が収納される収納空間に水中微細物、微細浮遊物などの異物の蓄積や磁石体の磁力弱化などが原因で、引力および反発力の作用が低下し、昇降磁石体の待機状態維持または下降後の待機状態への復帰が円滑に行われなくなり、このため発光ダイオードが誤作動を引き起こし、結局釣り人が魚信感知状態を誤認するという問題点がある。
【００１５】
【特許文献１】大韓民国実用公開第１９９４−１８７４０号  （１９９４．０８．１６）の「電子自立中通し浮き」
【特許文献２】大韓民国特許公開第２００２−００４６２４２号  （２００２．０６．２０）の「釣り用魚信感知器」
【発明の開示】
【発明が解決しようとする課題】
【００１６】
本発明は、かかる従来の問題点を解決するためのもので、その目的は、釣り糸と釣り浮きとを容易に連結および連結解除できるようにした釣り浮きを提供することにある。
【００１７】
本発明の他の目的は、潮流方向および昼夜間の魚アタリ(魚信)を正確に感知できるようにした釣り浮きを提供することにある。
【課題を解決するための手段】
【００１８】
上記目的を達成するために、本発明の好適な実施例に係る釣り浮きは、縦方向に長孔（スリット）が形成され、内部に挿入空間が形成され、挿入空間の下端中央に突出部が形成された下部キャップと、前記下部キャップ内の挿入空間に内挿され、下端に嵌合溝が形成され、外周縁の一側の縦方向に収納溝が形成された内部キャップと、前記下部キャップ内の挿入空間に前記内部キャップを結合させるために形成された結合手段と、前記内部キャップの上端内周縁と結合される上部キャップとを備える。
【００１９】
本発明の他の実施例に係る釣り浮きは、 縦方向に長孔（スリット）が形成され、内部に挿入空間が形成され、挿入空間の下端中央に突出部が形成された下部キャップと、前記下部キャップ内の挿入空間に内挿され、下端に嵌合溝が形成され、外周縁の一側の縦方向に収納溝が形成された内部キャップと、前記下部キャップ内の挿入空間に前記内部キャップを結合させるために形成された結合手段と、前記内部キャップの上端内周縁と結合され、上端部の中央に光放出部が形成され、光放出部の一側部に音放出部が形成された上部キャップと、前記内部キャップと上部キャップ間の結合空間内に設置され、魚のアタリを感知するセンサーと、前記内部キャップと前記上部キャップ間の結合空間内に設置される感知信号制御回路基板と、前記上部キャップの内側面に接し、前記感知信号制御回路基板と電気的に連結され、前記感知信号制御回路基板からの制御信号によって作動するお知らせ手段と、前記感知信号制御回路基板及びお知らせ手段に電気的に連結された電源供給手段とを備える。
【発明の効果】
【００２０】
本発明によれば、下部キャップおよび内部キャップにそれぞれ形成された縦方向の長孔（スリット）と収納溝を一致させた後、釣り糸をそこに入れ、下部キャップを左側または右側に回転させた上、釣り糸に釣り浮きを取り付けることができて、一方、前記釣り糸から浮きを取り外す場合は、前記長孔（スリット）と収納溝を一致させると、釣り糸から浮きを容易に取り外すことができるので、従来の釣り浮きとは異なり、釣り糸と釣り浮きとを容易に連結および連結解除することができる。
【００２１】
また、本発明の第１および第２実施例の場合、ユーザが直接厚さが異なる多数のワッシャーを用いて浮力を調節することができるので、従来と異なり、複数の釣り浮きが不要になる。しかも、本発明の第３実施例の場合は、釣り浮きの形状は一定にし、製造会社で例えば１号〜１０号程度の厚さが異なるワッシャーを製造しておき、そのそれぞれのワッシャーを 選択的に一定の形状の釣り浮き内に入れて製品を完成することができるので、単一サイズの釣り浮き一つで、従来の重さが異なる複数の釣り浮きを使用する効果と同じ効果を得ることができる。
【００２２】
なお、上部キャップの外部側面に潮流方向キーおよび潮流方向確認部が形成されていて、潮流の方向をリアルタイムで把握することができ、しかも発光ダイオードおよびブザーによって昼夜間の魚アタリを正確に認識することができることから、漁獲の効率が極大化されるという利点がある。
【発明を実施するための最良の形態】
【００２３】
以下、添付図を参照して本発明の実施例に係る釣り浮きについて説明する。
【００２４】
図１は本発明の第１実施例に係る釣り浮きの分解斜視図であり、図２は本発明の第２実施例に係る釣り浮きの分解斜視図であり、図３は図２の結合断面図であり、図４は本発明の第２実施例に係る釣り浮きの側面図であり、図５は本発明の第２実施例に係る釣り浮きの上面図である。
【００２５】
本発明の第１実施例に係る釣り浮きは、縦方向に長孔（スリット）１２が形成され、内部に挿入空間１４ａが形成され、挿入空間１４ａの下端中央に突出部１６ａが形成された下部キャップ１０ａと、前記下部キャップ１０ａ内の挿入空間１４ａに内挿され、下端に嵌合溝２２ａが形成され、外周縁の一側の縦方向に収納溝２４が形成された内部キャップ２０ａと、前記下部キャップ１０ａ内の挿入空間１４ａに前記内部キャップ２０ａを結合させるために形成された結合手段と、前記内部キャップ２０ａの上端内周縁と結合される上部キャップ３０ａとを備える。
【００２６】
また、本発明の第２実施例に係る釣り浮きは、縦方向に長孔１２が形成され、内部に挿入空間１４ｂが形成され、挿入空間１４ｂの下端中央に突出部１６ｂが形成された下部キャップ１０ｂと、前記下部キャップ１０ｂ内の挿入空間１４ｂに内挿され、下端に嵌合溝２２ｂが形成され、外周縁の一側の縦方向に収納溝２４が形成された内部キャップ２０ｂと、前記下部キャップ１０ｂ内の挿入空間１４ｂに前記内部キャップ２０ｂを結合させるために形成された結合手段と、前記内部キャップ２０ｂの上端内周縁と結合される上部キャップ３０ｂとを備える。
【００２７】
前述した本発明の第１実施例および第２実施例の構成の差異は、本発明の第１実施例では、内部キャップ２０ａの上部内の側部に面接触する上部キャップ３０ａの下部の側部が平坦であり、その上部キャップ３０ａの下部と面接触する内部キャップ２０ａの上部内の側部が平坦であるのに対して、本発明の第２実施例では、内部キャップ２０ｂの上部内の側部に螺合する上部キャップ３０ｂの下部の側部に螺子山が形成され、その上部キャップ３０ｂの下部と螺合する内部キャップ２０ｂの上部内の側部に螺子山が形成された点にある。
【００２８】
また、本発明の第１実施例のボルト３８ａには螺子山がないのに対して、本発明の第２実施例のボルト３８ｂには螺子山が形成された点にある。
【００２９】
また、本発明の第１実施例の下部キャップ１０ａの突出部１６ａには螺子山がないのに対して、本発明の第２実施例の下部キャップ１０ｂの突出部１６ｂには螺子山が形成された点にある。
【００３０】
ここで、本発明の第１実施例および第２実施例において、前記結合手段はボルト３８ａ，３８ｂとＯリング状のワッシャー３６およびゴムリング３２ａで構成される。前記ゴムリング３２ａは防水用であり、前記ワッシャー３６はボルト３８ａ，３８ｂとゴムリング３２ａ間に介在され、厚さが異なる多数のワャシャーの中から選択される。すなわち、厚さが異なるワッシャー３６を潮流の流速に応じて適切に取り替えて使用すると、一つの釣り浮きを使用する場合にも、複数の釣り浮きを携帯して使用する場合と同じ効果があるので、従来の問題点が解消される。言い換えれば、従来では、重さが異なる複数の釣り浮きを携帯し、潮流の流速に応じて釣り浮きを取り替えたのに対して、本発明では、ワッシャーを取り替えるだけで、複数の釣り浮きを使用することなく、本発明に係る一つの釣り浮きを使用した場合にも、そのワッシャー３６によって釣り浮きの重さを変えることができるのみならず、釣り浮きの浮力を調節することができる。
【００３１】
前記内部キャップ２０ａ，２０ｂと前記上部キャップ３０ａ，３０ｂとの結合部位には、防水用のゴムリング３２ｂが介在され、前記内部キャップ２０ａ，２０ｂには、重心用の多数の重心孔２６ａ，２６ｂ，２６ｃが縦方向に形成される。該重心孔２６ａ，２６ｂ，２６ｃは、釣り糸が収納される縦方向への収納溝２４だけが形成されていれば、釣り浮きの重心が一方向に偏るおそれがあるので、それを防止するためのものである。
【００３２】
また、前記下部キャップ１０ａ，１０ｂは普段水面下に沈む部分であり、前記下部キャップ１０ａ，１０ｂの外側の所定部位には潮流方向を知らせる潮流方向キー１８が設置される。一方、前記上部キャップ３０ａ，３０ｂは普段水面上に浮かび上がっている部分であり、前記上部キャップ３０ａ，３０ｂの外側の所定部位には潮流方向を知らせる潮流方向確認部３４が設置される。
【００３３】
前記下部キャップ１０ａ，１０ｂ、内部キャップ２０ａ，２０ｂおよび上部キャップ３０ａ，３０ｂはすべて合成樹脂材からなる。
【００３４】
しかも、前記内部キャップ２０ａ，２０ｂの上端面には薄緑色または樺色などを帯びた蛍光物質１２ａが塗布されていて、昼夜間共に水面が確認される。前記内部キャップ２０ａ，２０ｂの下部には段差ある嵌合溝２２ａ，２２ｂが形成され、前記下部キャップ１０ａ，１０ｂの下部には突出部１６ａ，１６ｂが形成される。
【００３５】
次に、本発明の第２実施例に係る釣り浮きの動作について説明する。本発明の第１実施例の動作は第２実施例の動作と同一である。
【００３６】
先ず、下部キャップ１０ｂ内に内部キャップ２０ｂを内挿した後、ボルト３８ｂ、ワッシャー３６およびゴムリング３２ａで前記下部キャップ１０ｂと内部キャップ２０ｂとを結合する。この際、前記ワッシャー３６は釣り場の状況によって選択される。
【００３７】
次いで、前記内部キャップ２０ｂの上面内周縁に防水用ゴムリング３２ｂを取り付けた後、上部キャップ３０ｂの下端外周縁の螺子山と、前記内部キャップ２０ｂの上面内周縁の螺子山との螺合により、両キャップを結合させる。
【００３８】
その後、図４および図５に示すように、前記内部キャップ２０ｂに縦方向に形成された収納溝２４と、前記下部キャップ１０ｂに縦方向に形成された長孔１２とを一致させた後、そこに釣り糸を入れる。次いで、前記下部キャップ１０ｂを左側または右側にある程度回転させて前記収納溝２４と長孔１２とをずれさせる。これにより、釣り糸の離脱が防止される。
【００３９】
かくして、釣り糸に釣り浮きを取り付けた上、該釣り浮きを所望の位置に投げる。これにより図６に示すように、下部キャップ１０ｂ部分は水面下に沈み、上部キャップ３０ｂは水面上に浮かび上がる。そして、前記下部キャップ１０ｂの外側の所定部位に形成された潮流方向キー１８は、潮流方向に順応し、前記上部キャップ３０ｂの外側の所定部位に形成された潮流方向の確認部３４は、現在の潮流方向を知らせる。図６において、符号６４は釣り糸であり、符号６６ａおよび６６ｂは緩衝ゴム玉である。
【００４０】
一方、釣りを終え、釣り糸から釣り浮きを取り外す際には、前記収納溝２４と長孔１２を互いに一致させる。
【００４１】
図７は本発明の第３実施例に係る釣り浮きの断面図であって、上述した本発明の第１実施例または第２実施例に構成に加え、魚信を感知して外部に知らせる構成をさらに含む。
【００４２】
すなわち、本発明の第３実施例に係る釣り浮きは、前記内部キャップ２０ｂと上部キャップ３０ｃ間の結合空間内に設置され、魚のアタリを感知するセンサー４０と、前記内部キャップ２０ｂと前記上部キャップ３０ｃ間の結合空間内に設置される感知信号制御回路基板４４と、前記上部キャップ３０ｃの内側面に接し、前記感知信号制御回路基板４４と電気的に連結され、前記感知信号制御回路基板４４からの制御信号によって作動するお知らせ手段と、前記感知信号制御回路基板４４及びお知らせ手段に電気的に連結された水銀電池からなる電源供給手段４２とをさらに備える。
【００４３】
また、前記上部キャップ３０ｃは、内部キャップ２０ａの上端内周縁と結合され、上端部の中央には光が放出される透明な材質の光放出部５０が形成され、該光放出部５０の一側部には音が放出される多数の細孔を有する音放出部５２が形成される。
【００４４】
そして、前記感知信号制御回路基板４４にはマイコンが内蔵される。
【００４５】
前記お知らせ手段は、発光ダイオード４６およびブザー４８で構成される。前記発光ダイオード４６は、前記上部キャップ３０ｃの中央部に形成された光放出部５０に固定結合され、一方、前記ブザー４８は、前記上部キャップ３０ｃの側部に形成された音放出部５２に連接される。しかも、前記ブザー４８は遮蔽膜５４によって遮蔽されている。なぜなら、水が前記音放出部５２を介して釣り浮き内に流入し、その流入する水によって他の構成要素にダメージが与えられるおそれがあるからである。
【００４６】
また、前記内部キャップ２０ｂの上端面には薄緑色または樺色などを帯びた蛍光物質１２ａが塗布されていて、昼夜間共に水面を確認することができる。
【００４７】
さらに、前記発光ダイオード４６は夜間に主に使用し、前記ブザー４８は昼間に主に使用するものであって、ユーザのスイッチ（図示せず）操作によって前記発光ダイオード４６またはブザー４８の動作が選択される。もちろん、前記発光ダイオード４６およびブザー４８の駆動を所望しない場合は、それに相当なモードを選択する。
【００４８】
一方、前記センサー４０の構成は図８に示されているが、図８の構成と異なる構成も可能である。
【００４９】
図８のセンサー４０は、支持具５６にヒンジ結合されてシーソー運動をする可動具５８と、該可動具５８のシーソー運動により、可動具５８の一側面上に形成された接点突起６０と接触／非接触する端子板６２とで構成される。すなわち、前記センサー４０は、前記可動具５８の溝に位置した釣り糸６４が魚のアタリによって上下に動き始めると、前記可動具５８の上端に形成された釣り糸の結び目によって可動具５８もシーソー運動を行い始める。この際、前記可動具５８のシーソー運動により、可動具５８の一側面上に形成された接点突起６０が端子片６２に反復的に接触／非接触する。前記接点突起６０と端子片６２との接触／非接触動作によって生成された信号が感知信号化され、感知信号制御基板４４に伝達される。
【００５０】
次に、本発明の第３実施例に係る釣り浮きの動作について説明する。
【００５１】
先ず、下部キャップ１０ｂ内に内部キャップ２０ｂを内挿した後、ボルト３８ｂ、ワッシャー３６およびゴムリング３２ａで前記下部キャップ１０ｂと内部キャップ２０ｂとを結合する。この際、前記ワッシャー３６は釣り場の状況によって選択される。
【００５２】
次いで、前記内部キャップ２０ｂの上面内周縁に防水用ゴムリング３２ｂを取り付けた後、上部キャップ３０ｂの下端外周縁の螺子山と、前記内部キャップ２０ｂの上面内周縁の螺子山との螺合により、両キャップを結合させる。
【００５３】
その後、図４および図５に示すように、前記内部キャップ２０ｂに縦方向に形成された収納溝２４と、前記下部キャップ１０ｂに縦方向に形成された長孔１２とを一致させた後、そこに釣り糸を入れる。次いで、前記下部キャップ１０ｂを左側または右側にある程度回転させて前記収納溝２４と長孔１２とをずれさせる。これにより、釣り糸の離脱が防止される。
【００５４】
かくして、釣り糸に釣り浮きを取り付けた上、前記釣り浮きを所望の位置に投げる。これにより図６に示すように、下部キャップ１０ｂ部分は水面下に沈み、上部キャップは水面上に浮かび上がる。そして、前記下部キャップ１０ｂの外側の所定部位に形成された潮流方向キー１８は、潮流方向に順応し、前記上部キャップの外側の所定部位に形成された潮流方向の確認部３４は、現在の潮流方向を知らせるようになる。
【００５５】
釣りをするとき、魚がアタリを出すと、前記下部キャップ１０ｂと上部キャップ３０ｃ間の結合空間内に設置されたセンサー４０が魚信を感知し、感知信号を感知信号制御基板４４に転送する。次いで、前記感知信号制御回路基板４４は、入力された感知信号に基づいて発光ダイオード４６またはブザー４８を作動させる。すなわち、ユーザ（釣り人）がスイッチ（図示せず）を操作して発光ダイオード４６を選択した場合（主に夜間の場合）、前記感知信号制御回路基板４４は、発光ダイオード４６を点灯することで魚アタリを外部に知らせる。一方、ユーザ（釣り人）がスイッチ（図示せず）を操作してブザー４８を選択した場合（主に昼間の場合）は、前記感知信号制御回路基板４４は、ブザー４８を作動させて所定のブザー音を外部に鳴らすことで魚アタリを外部に知らせる。
【００５６】
一方、釣りを終え、釣り糸から釣り浮きを取り外す際には、前記収納溝２４と長孔１２を互いに一致させると、糸から浮きを容易に取り外すことができる。
【００５７】
また、図９に示すように、上部キャップ３０ｂの外周縁の一側部にケミライトを収納できる収納溝６８を形成する場合も、本発明の目的を十分達成することができる。
【００５８】
一方、本発明は上記実施例に限定されるものではなく、本発明の要旨を逸脱しない範囲で種々の修正またはび変形が可能であり、該修正または変形も又、本発明の技術思想および請求の範囲に含まれるものであることは、いうまでもない。
【図面の簡単な説明】
【００５９】
【図１】本発明の第１実施例に係る釣り浮きの分解斜視図である。
【図２】本発明の第２実施例に係る釣り浮きの分解斜視図である。
【図３】図２の結合断面図である。
【図４】本発明の第２実施例に係る釣り浮きの側面図である。
【図５】本発明の第２実施例に係る釣り浮きの上面図である。
【図６】本発明の第２実施例に係る釣り浮きの設置状態図である。
【図７】本発明の第３実施例に係る釣り浮きの断面図である。
【図８】図７のセンサー部の構成例を示す図である。
【図９】本発明のまた他の実施例に係る釣り浮きの断面図である。
【符号の説明】
【００６０】
１０ａ，ｂ    下部キャップ
１２    長孔
１４ａ，ｂ    挿入空間
１６ａ，ｂ    突出部
１８    潮流方向キー
２０ａ，ｂ    内部キャップ
２２ａ，ｂ    嵌合溝
２４    収納溝
２６ａ，ｂ，ｃ    重心孔
３０ａ，ｂ，ｃ    上部キャップ
３２ａ，ｂ    ゴムリング
３４    潮流方向確認部
３６  ワッシャー
３８ａ，ｂ    ボルト
４０    センサー
４２    電源供給手段
４４    感知信号制御回路基板
４６    発光ダイオード
４８    ブザー
５０    光放出部
５２    音放出部
５４    遮蔽膜
５６    支持具
５８    可動部
６０    接点突起
６２    端子板
６４    釣り糸
６６ａ，ｂ    緩衝ゴム玉
６８    収納溝
【図１】
2004201690.tif 000003
【図２】
2004201690.tif 000004
【図３】
2004201690.tif 000005
【図４】
2004201690.tif 000006
【図５】
2004201690.tif 000007
【図６】
2004201690.tif 000008
【図７】
2004201690.tif 000009
【図８】
2004201690.tif 000010
【図９】
2004201690.tif 000011